(57)【要約】【課題】使い勝手のよい給水ユニットを提供する。【解決手段】洗面台１は、洗面ボウル１０と、洗面ボウル１０の底部に形成される排水口１０Ａの入り口よりも下流側に流入口が連通するオーバーフロー流路１３と、流入口よりも下流側において、水の流れを遮断可能な排水栓１１と、排水栓１１が水の流れを遮断している場合における洗面ボウル１０に貯留される水の最高水位を変更する水位設定機構３０とを備えている。これにより、洗面台１は、洗面ボウル１０における最高水位を水位設定機構３０で変更することができる。【選択図】図１
2020045621.tif 000002
【特許請求の範囲】
【請求項１】
シンクと、
前記シンクの底部に形成される排水口の入り口よりも下流側に流入口が連通するオーバーフロー流路と、
前記流入口よりも下流側において、水の流れを遮断可能な排水栓と、
前記排水栓が水の流れを遮断している場合における前記シンクに貯留される水の最高水位を変更する水位設定機構と、
を備えていることを特徴とする給水ユニット。
【請求項２】
前記最高水位を使用者に報知する報知部を備えていることを特徴とする請求項１に記載の給水ユニット。
【請求項３】
前記水位設定機構を操作するための操作部を備え、
前記報知部は、
前記最高水位が変化する範囲を示す目盛りと、
前記最高水位に応じた前記目盛りの一部を指す目印と、
を有していることを特徴とする請求項２に記載の給水ユニット。
【請求項４】
前記水位設定機構の上流側及び下流側の前記オーバーフロー流路内に配置され、前記操作部を操作することによって前記オーバーフロー流路を清掃する清掃部材を備えていることを特徴とする請求項３に記載の給水ユニット。
【請求項５】
シンクと、
前記シンクの底部に形成される排水口の入り口よりも下流側に流入口が連通するオーバーフロー流路と、
前記オーバーフロー流路における最高水位を変更する水位設定機構と、
を備えていることを特徴とする給水ユニット。
【請求項６】
前記シンクは、洗面ボウルであることを特徴とする請求項１から５までのいずれか１項に記載の給水ユニット。
【発明の詳細な説明】
【技術分野】
【０００１】
本発明は、給水ユニットに関する。
【背景技術】
【０００２】
特許文献１のオーバーフロー装置は、槽体の底面に開口した排水口と連通する排水管と、排水管の内部にて流路を閉塞する閉塞弁と、排水管よりも上流側にて分岐し、その一部が槽体の底面よりも上方に配置され、且つ槽体の上縁よりも下方で折り返して閉塞弁よりも下流側に接続される、排水配管の内外に対し密閉されたオーバーフロー配管と、排水配管のオーバーフロー配管との合流部よりも下流側に備えられた、封水を有さない非封水式排水トラップとから構成される。
【先行技術文献】
【特許文献】
【０００３】
【特許文献１】特開２０１１−１１７２２９号公報
【発明の概要】
【発明が解決しようとする課題】
【０００４】
このオーバーフロー装置は、オーバーフローの流入口の高さが固定されており、槽体に貯留される最高水位は一定である。このため、最高水位を変更するという使い方ができず、使い勝手が良くなかった。この課題は、給水ユニットに共通した課題であった。給水ユニットは少なくともシンクとシンクに給水する給水装置とを含む。給水ユニットの用途は、例えば、洗面台、キッチン等があげられる。
【０００５】
本発明は、上記従来の事情に鑑みてなされたものであって、使い勝手の良い給水ユニットを提供することを解決すべき課題としている。
【課題を解決するための手段】
【０００６】
第１発明の給水ユニットは、
シンクと、
前記シンクの底部に形成される排水口の入り口よりも下流側に流入口が連通するオーバーフロー流路と、
前記流入口よりも下流側において、水の流れを遮断可能な排水栓と、
前記排水栓が水の流れを遮断している場合における前記シンクに貯留される水の最高水位を変更する水位設定機構と、
を備えていることを特徴とする。
【０００７】
第１発明の給水ユニットは、シンクに貯留される水の最高水位を変更することができる。このため、第１発明の給水ユニットは、使い勝手が良い。
【０００８】
第２発明の給水ユニットは、
シンクと、
前記シンクの底部に形成される排水口の入り口よりも下流側に流入口が連通するオーバーフロー流路と、
前記オーバーフロー流路における最高水位を変更する水位設定機構と、
を備えていることを特徴とする。
【０００９】
第２発明の給水ユニットは、オーバーフロー流路における最高水位を変更することによって、シンクに貯留される水の最高水位を変更することができる。このため、第２発明の給水ユニットは、使い勝手が良い。
【図面の簡単な説明】
【００１０】
【図１】実施例１の洗面台であって、排水口が開放され、水位設定機構によってオーバーフロー流路における最高水位を設定し得る最も低い位置に設定した状態を示す断面図である。
【図２Ａ】実施例１の洗面台であって、排水口が閉鎖され、水位設定機構によってオーバーフロー流路における最高水位を設定し得る最も低い位置から６０ｍｍ高い位置に設定した状態で洗面ボウルに水を貯留した状態の全体、及びこのときの水位設定機構を拡大して示した断面図である。
【図２Ｂ】図２ＡにおけるＡ矢視図である。
【図３Ａ】実施例２の洗面台であって、排水口が開放され、水位設定機構によってオーバーフロー流路における最高水位を設定し得る最も低い位置に設定した状態示す断面図である。
【図３Ｂ】実施例２の洗面台のレバー部およびその近傍を上方から見た平面図である。
【図４】実施例２のオーバーフロー流路、及び水位設定機構を斜め上方から見た斜視図である。
【図５】実施例２の洗面台であって、排水口が閉鎖され、水位設定機構によってオーバーフロー流路における最高水位を設定し得る最も低い位置から４０ｍｍ高い位置に設定した状態で洗面ボウルに水を貯留した状態を示す断面図である。
【発明を実施するための形態】
【００１１】
本発明における好ましい実施の形態を説明する。
【００１２】
第１発明の給水ユニットは、最高水位を使用者に報知する報知部を備え得る。この場合、シンクに貯留される最高水位を使用者に報知することができる。
【００１３】
第１発明の給水ユニットは、水位設定機構を操作するための操作部を備え、報知部は、最高水位が変化する範囲を示す目盛りと、最高水位に応じた目盛りの一部を指す目印とを有し得る。この場合、最高水位に応じた目盛りの一部を目印で指すことによって、シンクに貯留される水の最高水位を簡易な構造によって使用者に報知することができる。
【００１４】
第１発明の給水ユニットは、水位設定機構の上流側及び下流側のオーバーフロー流路内に配置され、操作部を操作することによってオーバーフロー流路を清掃する清掃部材を備え得る。この場合、操作部を操作することによってオーバーフロー流路を容易に清掃することができる。
【００１５】
第１発明及び第２発明の給水ユニットのシンクは洗面ボウルであり得る。この場合、使用者が洗面時に洗面ボウルの最高水位を変更して使用することができる。
【００１６】
次に、本発明の洗面台を具体化した実施例１、２について、図面を参照しつつ説明する。
【００１７】
＜実施例１＞
実施例１の洗面台１は給水ユニットである。洗面台１は、図１、２Ａに示すように、洗面台本体５０、シンクとしての洗面ボウル１０、排水栓１１、水栓１２、オーバーフロー流路１３、水位設定機構３０、一対の清掃部材１４、操作部１５、及び報知部１６を備えている。
【００１８】
洗面台本体５０は、箱状をなしており、上端（上下は、図１における左側、右側である。）が開口して形成されている。他の実施例における洗面台本体５０は、箱状でなくてもよい。
洗面ボウル１０は下方に窪んで形成されている。洗面ボウル１０の底部には、洗面ボウル１０から水を排出する排水口１０Ａが貫通して形成されている。排水口１０Ａは、洗面ボウル１０の上方から見た平面視において、円形に開口しており、洗面ボウル１０の底面から内側下方に向けて曲面で形成され、下方に向かって徐々に縮径し、下端が内側に屈曲している。他の実施例における洗面ボウル１０の形状は他の形状でもよい。排水口１０Ａの下端には排水路２０が連通して連結されており下方に延びている。
【００１９】
排水栓１１は、目皿１１Ｃ、排水栓本体１１Ａ、及び軸部１１Ｂを有している。
目皿１１Ｃは円盤状であり、その外径は排水口１０Ａの入り口である上端部（洗面ボウル１０の底面から下方に傾斜し始めた部分）の径よりも大きい。目皿１１Ｃの外周縁部には、複数の突起１１Ｄが垂下している。目皿１１Ｃは、これら突起１１Ｄが排水口１０Ａの上端部の周囲に当接することによって、目皿１１Ｃが排水口１０Ａの上端部を閉鎖しないようにされている。目皿１１Ｃの中央部には、下端部が内側に屈曲して形成された筒部１１Ｅが下方向に向けて延びている。
【００２０】
排水栓本体１１Ａは、円盤状をなしている。排水栓本体１１Ａの外径は排水口１０Ａの下端部の径よりも小さく、排水口１０Ａの下端部の内側に屈曲して形成された部分の内径よりも大きい。排水栓本体１１Ａの下面の中央部は下方向に突出している。
【００２１】
軸部１１Ｂは、上下方向に延び、上端部に頭部１１Ｇが設けられている。軸部１１Ｂは、目皿１１Ｃと排水栓本体１１Ａとを連結している。軸部１１Ｂの頭部１１Ｇは、目皿１１Ｃの筒部１１Ｅ内に配置されており、筒部１１Ｅの下端の内側に屈曲した部分に係止され、目皿１１Ｃから脱落しないようにされている。軸部１１Ｂは頭部１１Ｇが筒部１１Ｅ内を上下方向に移動し得る範囲で上下方向に移動自在である。軸部１１Ｂは下端が排水栓本体１１Ａに連結している。
【００２２】
排水栓１１の排水栓本体１１Ａ及び軸部１１Ｂは、例えば、磁石等の反発力を利用して排水口１０Ａ内を上下方向に自在に移動し得る構成とされている（図示せず。）。具体的には、排水栓本体１１Ａに磁石を設け、排水栓本体１１Ａに設けた磁石に反発力を作用させ得るように排水路２０の外周面に磁石を配置する。排水栓本体１１Ａに設けた磁石に対して、排水栓本体１１Ａに設けた磁石と排水路２０の外周面に配置した磁石との間で生じる反発力の大きさが変化するように排水路２０の外周面に配置した磁石を遠ざけたり近づけたりする。これにより、排水栓本体１１Ａ及び軸部１１Ｂを上下方向に移動させる。
【００２３】
排水栓本体１１Ａ及び軸部１１Ｂが上方向に移動した場合、排水栓本体１１Ａが排水口１０Ａの下端が内側に屈曲した部分から上方向に離れ、排水栓本体１１Ａが排水口１０Ａを解放した状態になる。
排水栓本体１１Ａ及び軸部１１Ｂが下方向に移動した場合、排水栓本体１１Ａの下面が排水口１０Ａの下端が内側に屈曲した部分の上面に当接し、排水栓本体１１Ａが排水口１０Ａを閉鎖した状態になる。排水栓１１の排水栓本体１１Ａは、後述するオーバーフロー流路１３の流入口よりも下流側において、排水口１０Ａへの水の流れを遮断可能としている。
目皿１１Ｃは、排水栓本体１１Ａ及び軸部１１Ｂの上下方向の移動に関わらず、複数の突起１１Ｄが排水口１０Ａの上端部の周囲に当接した状態を維持する。
【００２４】
水栓１２は洗面ボウル１０に給水する。水栓１２は洗面ボウル１０の上端の周縁近傍に設けられている。水栓１２は水栓１２から洗面ボウル１０に給水する水を供給する給水路１２Ａが連結されている。給水路１２Ａには電磁弁１２Ｂが設けられている。水栓１２の給水路１２Ａの先端の近傍にはセンサ１２Ｃが設けられており、センサ１２Ｃに使用者の体の一部が近づくと電磁弁１２Ｂが開弁され洗面ボウル１０に給水し、センサ１２Ｃに近づいた使用者の体の一部がセンサ１２Ｃから離れると電磁弁１２Ｂが閉弁され得る構成とされている。
【００２５】
オーバーフロー流路１３は、筒状をなしており、洗面ボウル１０の底部に形成される排水口１０Ａの入り口である上端部よりも下流側に、流入口である一端が連通して連結されている。オーバーフロー流路１３の流出口である他端は排水口１０Ａより下流側である排水路２０に連通して連結されている。オーバーフロー流路１３の一端部及び他端部は互いにほぼ平行をなし、上下に並び横方向に延びている。オーバーフロー流路１３の一端部の排水口１０Ａから離れた側には上方向に立ち上がって延びる一端部側垂直流路１３Ａが設けられている。オーバーフロー流路１３の他端部の排水路２０から離れた側には上方向に立ち上がって延びる他端部側垂直流路１３Ｂが設けられている。
【００２６】
水位設定機構３０は、オーバーフロー流路１３の一端部側垂直流路１３Ａの上端と他端部側垂直流路１３Ｂの上端とを連通するように設けられている。水位設定機構３０は、一対の長さ変更部３０Ａ、及び連結路３０Ｂを有している。
一対の長さ変更部３０Ａは蛇腹状で筒状をなしている。これら長さ変更部３０Ａは筒状に延びる方向に伸縮自在である。これら長さ変更部３０Ａのそれぞれは、筒状に延びる方向が上下方向に配置され、一端部側垂直流路１３Ａの上端、及び他端部側垂直流路１３Ｂの上端のそれぞれに連通して連結されている。連結路３０Ｂは、筒状をなして横方向に延びており、両端部が下方向に屈曲している。連結路３０Ｂの両端部のそれぞれには一対の長さ変更部３０Ａの上端が連通して連結されている。連結路３０Ｂは、洗面ボウル１０の底面より上方に位置している。連結路３０Ｂの内周面の下端がオーバーフロー流路１３における最高水位に一致する。
【００２７】
一対の清掃部材１４は水位設定機構３０の上流側及び下流側のオーバーフロー流路１３内に配置されている。一対の清掃部材１４は、それぞれ固定軸１４Ａ、及び清掃部材本体１４Ｂを有している。各固定軸１４Ａは円柱状をなしており上下方向に延びている。固定軸１４Ａはオーバーフロー流路１３の一端部側垂直流路１３Ａ、及び他端部側垂直流路１３Ｂの内周面に当接しないように配置され、上端が水位設定機構３０の連結路３０Ｂの上側の内周面に連結されている。
各清掃部材本体１４Ｂは、ブラシが各固定軸１４Ａから放射方向に延びて、円盤状をなしている。円盤状をなした各清掃部材本体１４Ｂは１つの固定軸１４Ａに複数が設けられている。円盤状をなした各清掃部材本体１４Ｂが上下に隣合う互いの間の間隔は水位設定機構３０によって水位を変更することができる範囲より小さい寸法である。各清掃部材本体１４Ｂは、一端部側垂直流路１３Ａ、及び他端部側垂直流路１３Ｂ内に位置している。各清掃部材本体１４Ｂの先端は一端部側垂直流路１３Ａ、及び他端部側垂直流路１３Ｂの内周面に当接している。
【００２８】
操作部１５は、レバー部１５Ａ、及び連結軸部１５Ｂを有している。レバー部１５Ａは、円盤状をなしており、洗面ボウル１０の上端の周縁近傍に配置されている。連結軸部１５Ｂは円柱状をなして上下方向に延びており、洗面ボウル１０に貫通して形成された貫通孔１０Ｂに挿通されている。連結軸部１５Ｂはレバー部１５Ａと水位設定機構３０の連結路３０Ｂとを連結している。
【００２９】
使用者がレバー部１５Ａを把持し、レバー部１５Ａを上下方向に移動させることによって、操作部１５は水位設定機構３０の連結路３０Ｂを上下方向に移動させるように水位設定機構３０を操作することができる。つまり、操作部１５は水位設定機構３０を操作するためのものである。このとき、一対の長さ変更部３０Ａは、連結路３０Ｂの上下方向の移動に伴い長さが伸縮して、オーバーフロー流路１３の一端部側垂直流路１３Ａの上端、及び他端部側垂直流路１３Ｂの上端と連結路３０Ｂとが連通した状態を維持する。
操作部１５は、操作して上下方向に移動させたレバー部１５Ａの上下方向の位置を所望の位置に維持し得る構成とされている。これにより、上下方向に移動させた連結路３０Ｂの上下方向の位置、及び伸縮して変化した一対の長さ変更部３０Ａの長さも維持される。こうして、水位設定機構３０はオーバーフロー流路１３における最高水位を変更する。
【００３０】
操作部１５のレバー部１５Ａを上下方向に移動させることによって、一対の清掃部材１４も上下方向に移動する。これによって、一端部側垂直流路１３Ａ、及び他端部側垂直流路１３Ｂの内周面に当接する各清掃部材本体１４Ｂが一端部側垂直流路１３Ａ、及び他端部側垂直流路１３Ｂの内周面を擦ることによって、清掃部材１４は一端部側垂直流路１３Ａ、及び他端部側垂直流路１３Ｂの内周面を清掃することができる。
【００３１】
報知部１６は、図２Ａに示すように、目盛り１６Ａ、及び目印１６Ｂを有している。目盛り１６Ａは、連結軸部１５Ｂの外周面に連結軸部１５Ｂの軸方向に沿って、４つが互いの間が均等になるように配置されており、それぞれの近傍に"０ｍｍ"、"２０ｍｍ"、"４０ｍｍ"、及び"６０ｍｍ"の文字が付されている。目盛り１６Ａは水位設定機構３０によって設定される洗面ボウル１０に貯留される水の最高水位の設定し得る最も低い位置から設定し得る最も高い位置までの範囲を示す。
【００３２】
目印１６Ｂは、連結軸部１５Ｂが挿通される洗面ボウル１０の貫通孔１０Ｂの表面の端である。使用者は、洗面ボウル１０の貫通孔１０Ｂから突出する連結軸部１５Ｂの貫通孔１０Ｂの表面の端（目印１６Ｂ）の上方近傍に位置する目盛り１６Ａを目視することによって、設定し得る最も低い位置に対する現在の洗面ボウル１０に貯留される水の最高水位を把握することができる。つまり、目印１６Ｂは水位設定機構３０によって設定されている洗面ボウル１０に貯留される水の最高水位に応じた目盛り１６Ａの一部を指す。
【００３３】
洗面ボウル１０には、図２Ｂに示すように、報知部１６の目盛り１６Ａに対応する目盛り１０Ｃが付されている。目盛り１０Ｃは、洗面ボウル１０の表面に上下方向に、４つが互いの間が均等になるように配置されており、それぞれの近傍に"０ｍｍ"、"２０ｍｍ"、"４０ｍｍ"、及び"６０ｍｍ"の文字が付されている。
【００３４】
次に、洗面台１の動作について説明する。
洗面ボウル１０に給水された水は、排水栓１１の排水栓本体１１Ａが排水口１０Ａの下端が内側に屈曲した部分から上方向に離れ、排水栓本体１１Ａが排水口１０Ａを解放した状態である場合、解放された状態の排水口１０Ａから排水路２０に流入し排水される（図１参照。）。
【００３５】
次に、排水栓本体１１Ａが排水口１０Ａを閉鎖した状態（すなわち、排水栓１１の排水栓本体１１Ａが排水口１０Ａの下端から排水路２０への水の流れを遮断している状態）における水の流れについて説明する。
【００３６】
先ず、使用者は、排水栓１１の排水栓本体１１Ａ及び軸部１１Ｂを下方向に移動させる。すると、排水口１０Ａの下端が内側に屈曲した部分の上面に、排水栓本体１１Ａの下面が当接する。この結果、排水栓本体１１Ａが排水口１０Ａを閉鎖した状態になる。
【００３７】
使用者は、操作部１５のレバー部１５Ａを上下方向に移動させて、水位設定機構３０の連結路３０Ｂを上下方向に移動させる。このとき、操作部１５を操作する使用者は、洗面ボウル１０の貫通孔１０Ｂから突出する連結軸部１５Ｂの貫通孔１０Ｂの表面の上方近傍に位置する目盛り１６Ａを目視することによって、設定し得る最も低い位置に対する現在の洗面ボウル１０に貯留される水の最高水位を把握する（図２Ａ参照。）。つまり、報知部１６は水位設定機構３０によって設定されている洗面ボウル１０に貯留される水の最高水位を使用者に報知する。
使用者は、水位設定機構３０の連結路３０Ｂの上下方向の位置を所望の位置にする。こうして、水位設定機構３０はオーバーフロー流路１３における最高水位を変更すると共に、洗面ボウル１０に貯留される水の最高水位を変更する。
【００３８】
次に、使用者は、水栓１２のセンサ１２Ｃに使用者の体の一部を近づけて、電磁弁１２Ｂを開弁し洗面ボウル１０に給水し、洗面ボウル１０に水を貯留する。このとき、洗面台１には、オーバーフロー流路１３の流入口である一端から、水が流入する。一端から流入した水は一端部側垂直流路１３Ａを満たす。一端部側垂直流路１３Ａの水の水位は、洗面ボウル１０に貯留する水の水位とほぼ同じであり、共に上昇する。
【００３９】
一端部側垂直流路１３Ａの水の水位が水位設定機構３０の連結路３０Ｂの内周面の下端に到達し、さらに水栓１２から洗面ボウル１０に給水すると、一端部側垂直流路１３Ａの水は、連結路３０Ｂを通り他端部側垂直流路１３Ｂに流入する（図２Ａ参照。）。他端部側垂直流路１３Ｂに流入した水はオーバーフロー流路１３の流出口である他端から排水路２０に流入し排水される（図２Ａ参照。）。こうして、洗面台１は洗面ボウル１０に貯留する水の水位を水位設定機構３０によって所望の水位に設定することができる。
【００４０】
このとき、洗面ボウル１０に貯留する水の水位は、報知部１６の目盛り１６Ａに対応する目盛り１０Ｃの高さに到達する（図２Ｂ参照。）。
【００４１】
このとき、使用者が操作部１５のレバー部１５Ａを上下方向に繰り返して移動させるように操作することによって、清掃部材本体１４Ｂは、一端部側垂直流路１３Ａ、及び他端部側垂直流路１３Ｂの内周面を擦る。これにより、清掃部材１４はオーバーフロー流路１３である一端部側垂直流路１３Ａ、及び他端部側垂直流路１３Ｂの内周面を清掃することができる。清掃部材１４によって一端部側垂直流路１３Ａ、及び他端部側垂直流路１３Ｂの内周面から剥がされたごみ等の汚れは一端部側垂直流路１３Ａから他端部側垂直流路１３Ｂに向けて流れる水と共に排水路２０に搬送される。
【００４２】
このように、洗面台１は、洗面ボウル１０に貯留される水の最高水位を変更することができる。このため、実施例１の洗面台１は使い勝手がよい。
【００４３】
洗面台１は、水位設定機構３０を操作するための操作部１５を備え、報知部１６は、洗面ボウル１０に貯留される水の最高水位が変化する範囲を示す目盛り１６Ａと、洗面ボウル１０に貯留される水の最高水位に応じた目盛り１６Ａの一部を指す目印１６Ｂとを有している。このため、洗面ボウル１０に貯留される水の最高水位に応じた目盛り１６Ａの一部を目印１６Ｂで指すことによって、洗面ボウル１０に貯留される水の最高水位を簡易な構造によって使用者に報知することができる。
【００４４】
洗面台１は、水位設定機構３０の上流側及び下流側のオーバーフロー流路１３内に配置され、操作部１５を操作することによってオーバーフロー流路１３を清掃する清掃部材１４を備えている。このため、操作部１５を操作することによってオーバーフロー流路１３を容易に清掃することができる。
【００４５】
＜実施例２＞
実施例２の洗面台２は給水ユニットである。洗面台２は、図３Ａ、図３Ｂ、図４、図５に示すように、オーバーフロー流路１１３の形態、水位設定機構１３０の形態、及び報知部１１６の形態等が実施例１と相違する。実施例１と同一の構成は同一の符号を付して詳細な説明を省略する。
【００４６】
オーバーフロー流路１１３の一端部側垂直流路１１３Ａは、円筒状をなし、内径が他端部側垂直流路１１３Ｂの外径より大きく形成されている。一端部側垂直流路１１３Ａは他端部側垂直流路１１３Ｂの外周面を覆うように配置されている。一端部側垂直流路１１３Ａの上端は閉鎖されている。他端部側垂直流路１１３Ｂの上端は一端部側垂直流路１１３Ａの閉鎖された上端に連結している。他端部側垂直流路１１３Ｂの下部は一端部側垂直流路１１３Ａの下端より下方に延びている。一端部側垂直流路１１３Ａの下端は他端部側垂直流路１１３Ｂの外周面より外側の領域で閉鎖されている。
【００４７】
他端部側垂直流路１１３Ｂの外周面の上部には、複数の第１連通孔１１３Ｃが貫通して形成されている。これら第１連通孔１１３Ｃは、互いに同一の形状をなし、他端部側垂直流路１１３Ｂが延びる方向に一列に並んでいる。隣合う第１連通孔１１３Ｃの下端同士の距離は２０ｍｍである。
【００４８】
水位設定機構１３０は、図４に示すように、回動部１３０Ｃを有している。回動部１３０Ｃは円筒状をなしており、上端が閉鎖され下端が開口している。回動部１３０Ｃには複数の第２連通孔１３０Ｄが貫通して形成されている。これら第２連通孔１３０Ｄは、互いに同一の形状をなし、回動部１３０Ｃの外周面に螺旋状に並んでいる。これら第２連通孔１３０Ｄは、回動部１３０Ｃを軸方向から見ると、回動部１３０Ｃの外周面に互いの間が同じ間隔に配置されている（図示せず。）。
【００４９】
回動部１３０Ｃは、他端部側垂直流路１１３Ｂ内に配置され、回動部１３０Ｃの外周面が他端部側垂直流路１１３Ｂの内周面に当接している。回動部１３０Ｃは他端部側垂直流路１１３Ｂに対して回動自在である。回動部１３０Ｃは、他端部側垂直流路１１３Ｂに対して回動することによって、複数の第２連通孔１３０Ｄの内のいずれかの一つと、他端部側垂直流路１１３Ｂの複数の第１連通孔１１３Ｃの内のいずれかの一つとを互いに重ねて連通させることができる。互いに重ねて連通させた第１連通孔１１３Ｃと第２連通孔１３０Ｄの下端の上下方向の位置は同じである。互いに重ねて連通させた第１連通孔１１３Ｃと第２連通孔１３０Ｄの下端はオーバーフロー流路１１３における最高水位に一致する。
【００５０】
操作部１１５の連結軸部１１５Ｂは一端部側垂直流路１１３Ａを閉鎖する上端を貫通し、閉鎖された回動部１３０Ｃの上端に連結している。円盤状をなした操作部１１５のレバー部１１５Ａは、回動部１３０Ｃと同軸に配置され、洗面ボウル１０の貫通孔１０Ｂから突出する連結軸部１１５Ｂが連結している。
【００５１】
報知部１１６の目盛り１１６Ａは、図３Ｂに示すように、レバー部１１５Ａの外周に沿うように洗面ボウル１０の表面に設けられている。目盛り１１６Ａは、例えば、レバー部１１５Ａの外周に沿うように４つが配置されている。これら目盛り１１６Ａは、隣合う互いの間の間隔が均等になるように配置されており、それぞれの近傍に"０ｍｍ"、"２０ｍｍ"、"４０ｍｍ"、及び"６０ｍｍ"の文字が付されている。
【００５２】
目印１１６Ｂは、三角形状をなしており、レバー部１１５Ａの上面に設けられている。使用者は、洗面ボウル１０の目盛り１１６Ａに対する目印１１６Ｂの位置を目視することによって、設定し得る最も低い位置に対する現在のオーバーフロー流路１１３における最高水位を把握することができる。
【００５３】
例えば、レバー部１１５Ａの目印１１６Ｂが、４つの目盛り１１６Ａの内の０ｍｍが付された目盛り１１６Ａを指している場合、他端部側垂直流路１１３Ｂの複数の第１連通孔１１３Ｃの内の最も下に位置する第１連通孔１１３Ｃに水位設定機構１３０の回動部１３０Ｃの複数の第２連通孔１３０Ｄの内の最も下に位置する第２連通孔１３０Ｄが重なり連通する（図３Ａ、図３Ｂ参照。）。こうして、操作部１１５を操作する使用者は、オーバーフロー流路１１３における最高水位が、水位設定機構１３０によって設定され得る最も低い水位であることを把握することができる。
【００５４】
レバー部１１５Ａを回動させて、目印１１６Ｂを２０ｍｍ、４０ｍｍ、及び６０ｍｍが付された目盛り１１６Ａを指す位置に変化させると、目印１１６Ｂが指す目盛り１１６Ａの数値が大きくなる毎に、１つ上に隣合う第１連通孔１１３Ｃと第２連通孔１３０Ｄとが重なり連通する。
【００５５】
次に、洗面台２の動作について説明する。
先ず、使用者は、排水栓本体１１Ａで排水口１０Ａを閉鎖した状態にする。使用者は、操作部１１５のレバー部１１５Ａを把持して、レバー部１１５Ａを周方向に回動させて、水位設定機構１３０の回動部１３０Ｃを回動させる。このとき、操作部１１５を操作する使用者は、洗面ボウル１０に設けられた目盛り１１６Ａに対するレバー部１１５Ａの目印１１６Ｂの位置を目視することによって、設定し得る最も低い位置に対する現在のオーバーフロー流路１１３における最高水位を把握する（図３Ｂ参照。）。
【００５６】
次に、使用者は、水栓１２のセンサ１２Ｃに使用者の体の一部を近づけて、電磁弁１２Ｂを開弁し洗面ボウル１０に給水し、洗面ボウル１０に水を貯留する。このとき、洗面台２には、オーバーフロー流路１１３の流入口である一端から、水が流入する。一端から流入した水は、一端部側垂直流路１１３Ａに流入する。一端部側垂直流路１１３Ａの水の水位は、洗面ボウル１０に貯留する水の水位とほぼ同じであり、共に上昇する。
【００５７】
一端部側垂直流路１１３Ａの水の水位が、互いに重なり連通する他端部側垂直流路１１３Ｂの第１連通孔１１３Ｃと回動部１３０Ｃの第２連通孔１３０Ｄとの下端に到達し、さらに水栓１２から洗面ボウル１０に給水すると、一端部側垂直流路１１３Ａの水は、互いに重なり連通する第１連通孔１１３Ｃと第２連通孔１３０Ｄとを通り、他端部側垂直流路１１３Ｂに流入する（図５参照。）。他端部側垂直流路１１３Ｂに流入した水はオーバーフロー流路１１３の流出口である他端から排水路２０に流入し排水される（図５参照。）。
【００５８】
このように、洗面台２は、洗面ボウル１０に貯留される水の最高水位を変更することができる。このため、実施例２の洗面台２は使い勝手がよい。
【００５９】
洗面台２は、オーバーフロー流路１１３における最高水位を水位設定機構１３０で変更することによって、洗面ボウル１０に貯留される水の最高水位を変更することができる。このため、実施例２の洗面台２は、使い勝手が良い。
【００６０】
本発明は上記記述及び図面によって説明した実施例１、２に限定されるものではなく、例えば次のような実施例も本発明の技術的範囲に含まれる。
（１）実施例１、２では、センサによって使用者が近づいたことを検出して電磁弁を開閉する自動水栓であるが、タクトスイッチ等によって電磁弁を開閉する水栓であってもよいし、電磁弁を備えない自動水栓でもよい。あるいは、自動水栓でなくてもよく、レバーで給水を操作する手動水栓でもよい。手動水栓である場合は、例えば、レバーの操作に伴う給水制御のための機構とは別に、禁止状態と非禁止状態とを切り替えるための電磁弁を設けてもよい。
（２）実施例１において、水位変更機構の一対の長さ変更部が蛇腹状で筒状をなしており伸縮自在とされているが、一対の長さ変更部を他端部側垂直流路の内径と同じ外径の筒状とし、各長さ変更部を一端部側垂直流路、及び他端部側垂直流路の上部のそれぞれに上下方向に移動自在に挿入する構成であってもよい。
（３）実施例１では、清掃部材が一端部側垂直流路、及び他端部側垂直流路に配置されているが、清掃部材を一端部側垂直流路、及び他端部側垂直流路のいずれか一方のみに配置してもよい。
（４）実施例１、２では、一端部側垂直流路、及び他端部側垂直流路が垂直方向に延びているが、厳密に垂直方向に延びていなくてもよく、厳密な垂直方向に対して傾いていてもよい。
（５）実施例１、２では、洗面ボウルに水栓から給水しているが、他の方法で洗面ボウルに給水してもよい。
（６）実施例１、２では、給水ユニットとして洗面台を例示しているが、キッチン用のシンク及び給水装置を含むものであってもよい。
【符号の説明】
【００６１】
１０…洗面ボウル（シンク）
１３，１１３…オーバーフロー流路
１４…清掃部材
１５，１１５…操作部
１６，１１６…報知部
１６Ａ，１１６Ａ…目盛り
１６Ｂ，１１６Ｂ…目印
３０，１３０…水位設定機構
【図１】
2020045621.tif 000003
【図２Ａ】
2020045621.tif 000004
【図２Ｂ】
2020045621.tif 000005
【図３Ａ】
2020045621.tif 000006
【図３Ｂ】
2020045621.tif 000007
【図４】
2020045621.tif 000008
【図５】
2020045621.tif 000009